(57)【要約】 【課題】  携帯物品の繰り出し角度が所定範囲角度を超えも、クリップが外れたり、衣服等の係着部に損傷を与えることのないリール付きクリップを提供すること。【解決手段】  紐体４を介して携帯物品が繰り出される巻き取り可能なリール本体５に設けられたクリップ体１４が、リール本体５に対して回動自在に支持され、このクリップ体１４には係着状態を保持できるロックレバーＲが設けられた構成となっているので、携帯物品Ｎが繰り出された際にクリップ体１４に繰り出し負荷が掛かっても、クリップ体１４が回動することによりクリップ体１４に掛かる負荷を抑えることができ、ロックレバーＲによりクリップ体１４が衣服等に確実に係着されるので、万一携帯物品を手放してもクリップ体１４が外れることなくクリップ体１４に巻き戻すことができる。【選択図】  図１
2005296262.tif 000002
【特許請求の範囲】
【請求項１】
紐を介して携帯物品が繰り出される巻き取り可能なリール体と、該リール体に設けられた係着クリップから成るリール付きクリップであって、前記クリップはリール体に対して回動自在に支持されていることを特徴とするリール付きクリップ。
【請求項２】
前記クリップには係着状態を保持できるロック機構が設けられている請求項１に記載のリール付きクリップ。
【請求項３】
前記リール体にストラップ用留め具が設けられている請求項１または２に記載のリール付きクリップ。
【請求項４】
前記ストラップ用留め具はベース体に着脱自在に取り付けられている請求項３に記載のリール付きクリップ。
【発明の詳細な説明】
【技術分野】
【０００１】
本発明は、紐を介して携帯物品が繰り出される巻き取り可能なリール体と、該リール体に設けられた衣服等に係止できる係着クリップから成るリール付きクリップに関する。
【背景技術】
【０００２】
従来、定期や、社員証、リフト券等の提示物、鍵、携帯電話等の携帯物品は必要時にポケット等から取りだして使用し、使用後は再び元のポケットに収め、落とさないように持ち歩いていたが、時には手から滑り落ちたり、あるいはポケットにいい加減に突っ込んだために落としてしまうことがあった。このような事態を避けるために、巻き取り可能なリール体から繰り出される紐に携帯物品を取り付け、リール体自体をクリップを介してポケット等の衣服に係着したリール付きクリップが知られている（特許文献１参照）。このリール付きクリップは携帯物品がリール体と紐で連繋されているので紛失の恐れがなく、しかも必要な長さだけ繰り出すことができるので、ＩＣチップが埋め込まれたカード類を読み取り機に読み取らせるような場合に特に便利である。
【０００３】
【特許文献１】特開２００３−５２４４２号公報（段落００２３から段落００２６、第１図）
【発明の開示】
【発明が解決しようとする課題】
【０００４】
しかしながら、従来のこのようなリール付きクリップは、リール体から繰り出される携帯物品の繰り出し角度が所定範囲角度を超えると、紐がリール体と摩擦係合して紐が切れやすい状態になったり、リール体がねじれて衣服等を挟んでいるクリップに負荷が掛かり、クリップが外れたり、衣服等の係着部に損傷を与える恐れがあった。
【０００５】
本発明は、このような課題に着目してなされたもので、携帯物品の繰り出し角度が所定範囲角度を超えも、クリップが外れたり、衣服等の係着部に損傷を与えることのないリール付きクリップを提供することを目的とする。
【課題を解決するための手段】
【０００６】
上記の目的を解決するために、本発明の請求項１に記載のリール付きクリップは、紐を介して携帯物品が繰り出される巻き取り可能なリール体と、該リール体に設けられ係着クリップから成るリール付きクリップであって、前記クリップはリール体に対して回動自在に支持されていることを特徴としている。
この特徴によれば、携帯物品が繰り出された際に、リール体に繰り出し負荷が掛かっても、リール体が回動することにより係着クリップに掛かる負荷を抑えることができる。
【０００７】
本発明の請求項２に記載のリール付きクリップは、請求項１に記載のリール付きクリップであって、前記クリップには係着状態を保持できるロック機構が設けられていることを特徴としている。
この特徴によれば、ロック機構により係着クリップが衣服等に確実に係着されるので、万一携帯物品を手放しても係着クリップが外れることなくリール体に巻き戻すことができる。
【０００８】
本発明の請求項３に記載のリール付きクリップは、請求項１または２に記載のリール付きクリップであって、前記リール体にストラップ用留め具が設けられていることを特徴としている。
この特徴によれば、ストラップ留め具を介してストラップを身体の一部に巻き掛けることで、クリップが外れても携帯物品は更にストラップで受け止めることができ、落下防止になるとともに、クリップを外して携帯物品吊り下げストラップとしての使用も可能となる。
【０００９】
本発明の請求項４に記載のリール付きクリップは、請求項３に記載のリール付きクリップであって、前記ストラップ用留め具はベース体に着脱自在に取り付けられていることを特徴としている。
この特徴によれば、ストラップに過大な負荷が掛かって身体の一部を圧迫しても、ストラップ用留め具をベース体から切り離すことで、その圧迫からの回避が可能となる。
【発明を実施するための最良の形態】
【００１０】
本発明の実施例を以下に説明する。
【実施例１】
【００１１】
本発明の実施例を図面に基づいて説明すると、先ず図1は本発明の実施例１におけるリール付きクリップの斜視図、図２はクリップ装置の分解組立図であり、図３（ａ）はリール付きクリップをポケットに取り付けて使用される状態を示す説明図、（ｂ）は（ａ）のＡ−Ａ断面図である。
【００１２】
先ず図1には、本発明の実施例１としてのリール付きクリップ１が示されており、このリール付きクリップ１は、一端に定期や、社員証、リフト券等の提示物、鍵、携帯電話等の携帯物品に係止する摘み具２を固着した紐体４と、この紐体４の他端側を付勢力により巻き取り可能に内部に収容する円板状のリール本体５と、このリール本体５外面の中心部に回動自在に支持される係着クリップとなるクリップ装置６とから構成されている。
【００１３】
このクリップ装置６は、図２に示すように、リール本体５の扁平状に形成される一方の外面中心部に回転自在に支持される回転支持体１０と、この回転支持体１０後端側から外方に向けて突設した一対の枢支部１２ａ，１２ｂを有するベース部材１２と、これらの枢支部１２ａ，１２ｂに嵌入した支持軸２２を介して回動可能に枢着され、ベース部材１２の押圧面を押圧する可能なクリップ体１４と、このクリップ体１４を開放する方向に付勢する捩れコイルばねＳＰと、支持軸２２に揺動可能に支持され前記クリップ体１４の押圧面を押圧した状態を維持するためにロック機能を有するロックレバーＲとから構成されている。
【００１４】
ロックレバーＲの詳細は、図２に示されるように、一端側操作部１６から突設した二股状アーム１５ａ，１５ｂの先端に形成された一対の略円形状ボス１６ａ，１６ｂに支持軸２２の両端が嵌合する嵌合穴１８が形成されており、ボス１６ａ，１６ｂの外周面が嵌合穴１８を中心として操作部１６の裏面側に向けて徐々に大径となるように変位する偏心カムＣＭが形成されている。
【００１５】
クリップ体１４は、その後端に横幅より短い断面円形状のボス１４ａが外方に向けて突設し、その中央に形成される図示しない挿通孔に枢支部１２ａ，１２ｂに支持された支持軸２２が挿通支持されると共に、ボス１４ａ中央の切込み溝２０から挿入されて支持軸２２に挿通保持された捩れコイルばねＳＰがクリップ体１４を開放する方向に付勢しており、クリップ体１４の開放角度は、ボス１４ａの外周から突設した図示しないストッパとベース部材１２との当接により予め設定された角度に制限されている。
【００１６】
ロックレバーＲのロック時には、ロックレバーＲを閉じる回動動作と共に偏心カムＣＭが回動することで、偏心カムＣＭの徐々に大径に変位する外周面が、枢支部１２ａ，１２ｂ両外側の後端面に形成される両肩部Ｑを押圧し、偏心カムＣＭの押圧力の増大に伴う摩擦力の作用でロックされるためクリップ体１４をクリップ状態に維持できるように構成されている。
【００１７】
次に、実施例１に係るリール付きクリップの使用方法に付き図３を参照して説明する。
【００１８】
先ず、使用者が着用する衣服等のポケットＰの係着部となる開口端縁にリール付きクリップ１を取り付けて使用する際は、リール付きクリップ１のクリップ体１４およびロックレバーＲは、図１の仮想線で示すように開放された状態となっており、このクリップ体１４は、捩れコイルばねＳＰの付勢力で所定角度まで開放保持されている。
【００１９】
そこで、ベース部材１２上の押圧面を衣服等のポケットＰの係着部外側に当てた状態で、クリップ体１４を捩れコイルばねＳＰの付勢力に抗して閉じる方向（図１の矢印方向）にロックレバーＲと共に揺動させる。
【００２０】
ポケットＰの係着部となる開口端縁の内外両面がベース部材１２の押圧面とクリップ体１４によって挟持されたところで、ロックレバーＲをクリップ体１４の上面に当接するまで揺動させる。
【００２１】
ロックレバーＲの揺動によって偏心カムＣＭの外周が枢支部１２ａ，１２ｂ両外側の両肩部Ｑに徐々に摺接してこの両肩部Ｑが強く押圧された状態となり、その摩擦力によりロックレバーＲの揺動が拘束されるのでクリップ体１４の係着状態が維持される。
【００２２】
これによりリール本体５は、クリップ体１４がロックレバーＲを介してポケットＰの係着部に係着保持されたところで、リール本体５の紐体４一端の摘み具２に定期やリフト券等の提示物などの携帯物品Ｎが係止具８を介して係止される。
【００２３】
次に、リール付きクリップ１をポケットＰから取り外す場合は、ロックレバーＲを外方に向けて開放することで偏心カムＣＭの外周が両肩部Ｑから離間してロックが解除されると同時に、クリップ体１４は捩れコイルばねＳＰの付勢力により自動的に開放される。
【００２４】
従って、実施例１に係るリール付きクリップによれば、携帯物品Ｎが紐体４を介して繰り出された際に、携帯物品Ｎの繰り出し角度が所定範囲角度を超えてリール本体５に繰り出し負荷が掛かっても、リール本体５が回動することによりクリップ装置６に掛かる負荷を抑えることができる。
【００２５】
また、クリップ体１４は、ロック機構となる偏心カムＣＭの作用でロックされるロックレバーＲにより係着状態が保持されて衣服等に確実に係着されるので、万一携帯物品から手を放してもクリップ体１４が外れることなくリール本体５に巻き戻すことができる。
【実施例２】
【００２６】
次に、実施例２を図４および図５に基づいて説明する。図４は実施例２におけるリール付きクリップの斜視図、図５はクリップ装置の一部断面を示すリール付きクリップの側面図である。尚、実施例１と同一部材については同一符号を付して重複する説明を省略する。
【００２７】
図４、図５において、リール付きクリップ２１は、円板状のリール本体５と、このリール本体５の上面に回転軸２６を介して回転自在に支持される支持板２５と、この支持板２５の上面に設けられるクリップ装置２４とから構成される。
【００２８】
クリップ装置２４は、回転軸２６に支持された支持板２５の上方に突設した一対の枢支部３０ａ，３０ｂと、これらの枢支部３０ａ，３０ｂに嵌入固定された支持軸３２と、支持板２５の上面に設けた押圧部２８と、支持軸３２を介して回動可能に枢着されると共に押圧部２８に対向する複数の尖った歯部を配した把持部３６を備えたクリップ体３４と、一対のボス４４が支持軸３２に揺動可能に支持されるロックレバー３８と、クリップ体３４の後端側上面を係止すべく支持板２５の後方上面に配置された逆Ｌ字形の係止片４２とから構成されている。
【００２９】
詳しくは、前述した押圧部２８は、支持板２５の前方側上面に突設した円形台座の上面に円周上に複数の突起が配設されると共に、クリップ体３４の把持部３６は、台座上面の各突起に対応するよう先端に複数の尖った歯部を円周上に配した円筒状に形成されており、押圧部２８と把持部３６の間で衣服等のポケットＰの係着部両面を押圧挟持するように構成されている。
【００３０】
また、ロックレバー３８には、両ボス４４間に押圧体４０が設けられ、ロックレバー３８を図４の矢視で示す方向に回動させてクリップ体３４の把持部３６と押圧部２８をポケットＰを介して押圧挟持した際に、押圧体４０がクリップ体３４の後端側上面を支持軸３２の中心位置より更に回動した位置で押圧することでロック作用がなされる。
【００３１】
次に、実施例２に係るリール付きクリップの使用方法に付き図４、図５を参照して説明する。尚、実施例１と同一の構造、作用につては説明を省略する。
【００３２】
リール付きクリップ２１を衣服等のポケットＰの係着部となる開口端縁に取り付けて使用する際は、図４、図５に示すようにクリップ体３４およびロックレバー３８は開放状態となっている。
【００３３】
そこで、ポケットＰの係着部を挟むように支持板２５上面の押圧部２８とクリップ体３４の把持部３６の間に挿入した状態で、開放されているロックレバー３８を図４の矢視方向に向けて揺動すると、ロックレバー３８裏面後端の押圧体４０がクリップ体３４の後端側上面を押圧する。クリップ体３４の上面が押圧体４０により押圧されると、把持部３６が下方に押圧されると同時にクリップ体３４の上方への移動は係止片４２により規制される。
【００３４】
この状態で、ロックレバー３８を更に先端側に向けて揺動すると押圧体４０が支持軸３２の中心線を含む支持板２５に垂直な面を超えるのでクリップ体３４をロック状態に保持することができる。尚、ロックレバー３８を開放することでロック状態は開放することができることは勿論である。
【実施例３】
【００３５】
次に、実施例３を図６に基づいて説明する。図６は実施例３における着脱自在に設けられたストラップ用留め具とリール付きクリップの関係を示す分解斜視図である。尚、実施例２と同一部材については同一符号を付して重複する説明を省略する。
【００３６】
図６には実施例３におけるリール付きクリップ２１が示されており、このリール付きクリップ２１は実施例２とほぼ同じ構造で構成されているが、リール本体５にストラップＳの一端を止着するストラップ用留め具４６を着脱可能に構成した点が相違している。
【００３７】
ストラップ用留め具４６は、合成樹脂などで一体成形されていて端側にストラップＳを挿通保持する挿通孔４８が形成されると共に後端側から先端側に向けて二股状に形成された一対の係止アーム４８ａ，４８ｂが突設し、係止アーム４８ａ，４８ｂ先端の対向面には先の尖った一対の係止爪Ｔが設けられている。
【００３８】
一方、リール本体５に回転自在に支持される支持板２５後端に配設された係止片４２の両側面には一対の係止穴Ｕが形成され、これらの係止穴Ｕにはストラップ用留め具４６に設けられた係止アーム４８ａ，４８ｂ先端の両係止爪Ｔが押圧係止されるようになっている。
【００３９】
一対の係止穴Ｕに両係止爪Ｔを係止する際は、両係止爪Ｔを係止片４２に向けて押圧することで外方に弾性変形しつつ係止穴Ｕに押圧係合されるようになっており、係止状態でストラップＳに過大な負荷が作用した場合は容易に切り離されるように構成され、係合した状態では係止爪Ｔを中心として回動するように構成されている。
【００４０】
従って、実施例３に係るリール付きクリップ２１によれば、リール本体５にストラップ用留め具４６が設けられているので、ストラップ留め具４６を介してストラップＳを身体の一部に巻き掛けることで、クリップ体１４が外れても携帯物品は更にストラップＳで受け止めることができ、落下防止になるとともに、クリップ体１４を外して携帯物品吊り下げストラップとしての使用も可能となる。
【００４１】
また、ストラップＳに過大な負荷が掛かって身体の一部を圧迫しても、ストラップ用留め具４６がリール本体５から切り離されることで、その圧迫からの回避が可能となる。
【００４２】
以上、本発明の実施例を図面により説明してきたが、具体的な構成はこれら実施例に限られるものではなく、例えば、クリップの止着部としてポケットのみならず、ベルトや、カバンであっても良い。また、ロックレバーのロック機構としては、カム機構に限らず従来公知のいかなるロック機構も採用することができる。
【図面の簡単な説明】
【００４３】
【図１】本発明の実施例１におけるリール付きクリップの斜視図である。
【図２】クリップ装置の分解組立図である。
【図３】（ａ）はリール付きクリップをポケットに取付けて使用される状態を示す説明図、（ｂ）は（ａ）のＡ−Ａ断面図である。
【図４】実施例２におけるリール付きクリップの斜視図である。
【図５】クリップ装置の一部断面を示すリール付きクリップの側面図である。
【図６】実施例３における着脱自在に設けられたストラップ用留め具とリール付きクリップの関係を示す分解斜視図である。
【符号の説明】
【００４４】
１                リール付きクリップ
２                摘み具
４                紐体
５                リール本体
６                クリップ装置
１０              回転支持体
１２              ベース部材
１２ａ，１２ｂ    枢支部
１４              クリップ体
１４ａ            ボス
１５ａ，１５ｂ    二股状アーム
１６              操作部
１６ａ，１６ｂ    ボス
１８              嵌合穴
２０              切込み溝
２１              リール付きクリップ
２２              支持軸
２４              クリップ装置
２５              支持板
２６              回転軸
２８              押圧部
３０ａ，３０ｂ    枢支部
３２              支持軸
３４              クリップ体
３６              把持部
３８              ロックレバー
４０              押圧体
４２              係止片
４４              ボス
４６              ストラップ用留め具
４８ａ，４８ｂ    係止アーム
４８              挿通孔
ＣＭ              偏心カム
Ｐ                ポケット
Ｑ                肩部
Ｒ                ロックレバー
Ｓ                ストラップ
Ｔ                係止爪
Ｕ                係止穴
【図１】
2005296262.tif 000003
【図２】
2005296262.tif 000004
【図３】
2005296262.tif 000005
【図４】
2005296262.tif 000006
【図５】
2005296262.tif 000007
【図６】
2005296262.tif 000008